(57)【要約】【課題】  火災及び避難訓練時に，火元に応じて適切な避難経路の設定と，避難経路の重要性を避難訓練時に知らしめる入退室管理装置を提供する。【解決手段】  熱感知器６Ａ，６Ｂ及び煙感知器７Ａ，７Ｂのいずれかの動作，及び端末装置２２から所定操作で出力される感知器６Ａ，６Ｂ，７Ａ，７Ｂの動作模擬信号にて，避難階段とする階段室を設定する避難階段室設定手段９，１２，１２Ａと，設定された避難階段に基づき，各階のドアに設けられる電気錠２Ａ４〜３Ｂ４に対し，解錠及び解錠不能を設定する解錠設定手段９，１２，１２Ａ，１２Ｂと，電気錠２Ａ４〜３Ｂ４の解錠及び解錠不能に応じてＬＥＤ２Ａ３〜３Ｂ３の点灯を選択するＬＥＤ表示選択手段９，１２，１２Ａ，５と，解錠不能の電気錠２Ａ４〜３Ｂ４に対応するカードリーダ２Ａ〜３ＢがＩＤカードを検知すると，インターホン装置１５Ａ〜１６Ｂから解錠不能を報知し、検知件数を計数する計数装置９Ａと、を備えた。【選択図】図１
2016030034.tif 000002
【特許請求の範囲】
【請求項１】
建物に設けられる複数の居室と、災害発生時に避難階段となる複数の階段室と、建物の各階の天井に設けられる複数個の熱感知器及び煙感知器とを有し、前記居室のドアの近傍に設けられ、当該居室の居住者に配布されるＩＤカードに記憶される認証コードを読み込むカードリーダと、このカードリーダが読み込んだ認証コードに対し、当該ドアに設けた電気錠の解錠の要否を判断する電気錠施解錠判定装置と、この電気錠施解錠判定装置が判断した電気錠の解錠の要否に応じ、当該カードリーダに設けたＬＥＤを点灯させるＬＥＤ制御装置と、前記カードリーダの近傍に設けられ、前記建物の管理人室に配設されるインターホン親機と通話が可能なインターホン装置と、前記建物に設けられる設備機器の異常発生を、通信回線を介して遠隔的に監視する監視センタヘ通報する端末装置と、を備えた入退室管理装置において、
前記複数個の熱感知器及び煙感知器のいずれかの動作、及び前記端末装置から所定操作で出力される前記熱感知器及び前記煙感知器の動作模擬信号にて、各階における避難階段とする階段室を設定する避難階段室設定手段と、
この避難階段室設定手段で設定された各階の階段室に基づき、各階の前記ドアに設けられる前記電気錠に対し、解錠及び解錠不能を設定する解錠設定手段と、
この解錠設定手段にて設定した前記電気錠の解錠及び解錠不能に応じて前記ＬＥＤの点灯を選択するＬＥＤ表示選択手段と、
解錠不能に設定された前記電気錠に対応する前記カードリーダが前記ＩＤカードを検知すると、インターホン装置から解錠不能を報知するとともに、前記ＩＤカードの検知件数を計数する計数装置と、
を備えたことを特徴とする入退室管理装置。
【発明の詳細な説明】
【技術分野】
【０００１】
本発明は、入退室管理装置に係り、特に、火災発生時や避難訓練における避難誘導に好適な入退室管理装置に関する。
【背景技術】
【０００２】
特許文献１には、入退出管理装置が火災の発生を示す情報を受信すると、居室扉の電気錠を解錠状態とし、どの扉からでもＩＤカード無しでの退室を可能とすることで、迅速なる避難が行えるようにした入退室管理装置が示されている。
【先行技術文献】
【特許文献】
【０００３】
【特許文献１】特開２００９−２２１７０４号公報
【発明の概要】
【発明が解決しようとする課題】
【０００４】
特許文献１は、避難階段が複数設けられている中規模以上の事務所ビルにおいて、部屋の扉が複数設置される場合が多く、避難口誘導灯が設置されているが、災害の発生、特に火災が発生したとき、各階から避難階段を使って１階まで下りて、予め決められた場所へ避難するようにしているが、居室の全ての扉を開放可能とするため、避難する階段に集中が生じて階段での避難に停滞が発生し、避難者がパニック状態となることや、階段での転落や将棋倒しの発生という二次的災害の虞があった。
【０００５】
また、火元階で複数の扉が存在する居室の場合、火元に近い扉を開放すると、居室内に煙が入り込むことや、火元に近い避難階段を利用すると、避難階段扉から煙が入り込んで火元階の上方階の避難に支障が生じ、上述した避難する階段の集中が発生し易くなり、避難誘導における配慮が不足している問題があった。
【０００６】
また、複数のテナントが入居するビルにおいては、テナント毎に避難経路を設定していることが多く、従業員にて避難訓練は実施するものの、火元に応じた避難経路の設定が成されず、実際の災害に対応できない虞があった。
【０００７】
本発明の目的は、火災発生時や避難訓練時に、火元に応じて適切な避難経路の設定と、避難経路の重要性を避難訓練時に知らしめることができる入退室管理装置を提供することにある。
【課題を解決するための手段】
【０００８】
上記目的を達成するために本発明は、建物に設けられる複数の居室と、災害発生時に避難階段となる複数の階段室と、建物の各階の天井に設けられる複数個の熱感知器及び煙感知器とを有し、前記居室のドアの近傍に設けられ、当該居室の居住者に配布されるＩＤカードに記憶される認証コードを読み込むカードリーダと、このカードリーダが読み込んだ認証コードに対し、当該ドアに設けた電気錠の解錠の要否を判断する電気錠施解錠判定装置と、この電気錠施解錠判定装置が判断した電気錠の解錠の要否に応じ、当該カードリーダに設けたＬＥＤを点灯させるＬＥＤ制御装置と、前記カードリーダの近傍に設けられ、前記建物の管理人室に配設されるインターホン親機と通話が可能なインターホン装置と、前記建物に設けられる設備機器の異常発生を、通信回線を介して遠隔的に監視する監視センクヘ通報する端末装置と、を備えた入退室管理装置において、前記複数個の熱感知器及び煙感知器のいずれかの動作、及び前記端末装置から所定操作で出力される前記熱感知器及び前記煙感知器の動作模擬信号にて、各階における避難階段とする階段室を設定する避難階段室設定手段と、この避難階段室設定手段で設定された各階の階段室に基づき、各階の前記ドアに設けられる前記電気錠に対し、解錠及び解錠不能を設定する解錠設定手段と、この解錠設定手段にて設定した前記電気錠の解錠及び解錠不能に応じて前記ＬＥＤの点灯を選択するＬＥＤ表示選択手段と、解錠不能に設定された前記電気錠に対応する前記カードリーダが前記ＩＤカードを検知すると、インターホン装置から解錠不能を報知するとともに、前記ＩＤカードの検知件数を計数する計数装置と、を備えたことを特徴とする。
【発明の効果】
【０００９】
本発明によれば、火災や避難訓練のとき、避難階段室の方向に設けられるドアの電気錠を解錠状態にし、カードリーダのＬＥＤの表示状態にて当該ドアの解錠不能を判断できるとともに、解錠不能に設定した電気錠に対応したコントローラにＩＤカードを翳すと、インターホン装置から解錠不能を報知するとともに、計数装置はこのコントローラのＩＤカードの検知件数を計数するようにしたので、適切なる避難経路を指示するとともに、避難訓練にて避難経路に対する認識の高揚が図れる。
【図面の簡単な説明】
【００１０】
【図１】本発明の入退室管理装置の一実施形態の要部構成を示すブロック図である。
【図２】本発明の入退室管理装置のー実施形態に示す建物の２階の平面図である。
【図３】本発明の入退室管理装置の一実施形態の図１に示す避難経路データ記憶部に格納される避難階段室設定テーブルである。
【図４】本発明の入退室管理装置の一実施形態の図１に示す避難経路データ記憶部に格納される解錠設定テーブルである。
【図５】本発明の入退室管理装置の一実施形態の図に示すインターホン音声データ記憶部に格納されるインターホン音声データテーブルである。
【図６】本発明の入退室管理装置の一実施形態の動作を説明するフローチャートである。
【発明を実施するための形態】
【００１１】
以下、本発明の入退室管理装置に係る一実施形態を図１〜図６に基づいて説明する。
【００１２】
図１〜図５において、建物１は、例えば、南北と東西にそれぞれ直行する長手部を有するとともに、建物１の北西部に角部を有する平面Ｌ字状に形成された３階床の建造物であり、南側と東側の端部に階段室１Ａ，１Ｂがそれぞれ設けられ、また、南東の直行する凹部に図示しない玄関が設けられ、この図示しない玄関に当たる箇所は２階では吹抜け部１Ｃが形成され、この吹抜け部１Ｃの北側にはエレベータシャフト１Ｄが隣接されている。ここで、階段室１Ａ，１Ｂ、吹抜け部１Ｃ、エレベータシャフト１Ｄは、全て後述する共有部Ｃに設けられている。
【００１３】
また、建物１の２階の平面図を用いて室内の間取は、２階の西側には南北にテナントＡが設けられ、２階の北側には東西にテナントＢが設けられ、テナントＡの東側とテナントＢの南側には平面Ｌ字状の共有部Ｃが設けられており、階段室１Ａ，１Ｂへの出入や、エレベータシャフト１Ｄを昇降する図示しないエレベーターの乗降や、テナントＡ，Ｂへの入退室を共有部Ｃより行なえる。
【００１４】
また、テナントＡと共有部Ｃとの境界である壁の南側、壁の中央、壁の北側には、図示しないドアが３箇所に設けられ、テナントＢと共有部Ｃとの境界である壁の西側、壁の東側には、図示しないドアが２箇所に設けられており、これらの図示しないドアの近傍には、それぞれカードリーダ２Ａ〜２Ｃ，３Ａ，３Ｂが設けられている。ここで、カードリーダ２Ａ〜２ＣはテナントＡの３箇所の図示しないドアの内側と外側に設けられ、カードリーダ３Ａ，３ＢはテナントＢの２箇所の図示しないドアの内側と外側に設けられている。
【００１５】
更に、カードリーダ２Ａ〜２Ｃ，３Ａ，３Ｂの近傍には、それぞれインターホン１５Ａ〜１５Ｃ，１６Ａ，１６Ｂが設けられ、後述する管理人室２０に配設されるインターホン親機２１との通話が行える。
【００１６】
次に、２階に設けられるカードリーダ２Ａ〜２Ｃ，３Ａ，３Ｂは、図示しない１ｄカードに記憶されている認証コードを読み込む認証部２Ａ１〜３Ｂ１と、後述するコントローラ４との通信を行う通信部２Ａ２〜３Ｂ２と、緑色や赤色に点灯するＬＥＤ２Ａ３〜３Ｂ３から構成され、認証部２Ａｌ〜３Ｂ１に翳された図示しないＩＤカードの認証コードを読み取り、その認証コードを通信部２Ａ２〜３Ｂ２を介してコントローラ４へ送信し、コントローラ４はカードリーダ２Ａ〜３Ｂに対応した図示しないドアに設けられる電気錠２Ａ４〜３Ｂ４へ、解錠の可否信号を送信する。ここで、ＬＥＤ２Ａ３〜３Ｂ３は、コントローラ４から電気錠２Ａ４〜３Ｂ４の解錠可信号が送信されると所定時間緑色に点灯し、電気錠２Ａ４〜３Ｂ４の解錠否信号が送信されると所定時間赤色に点灯することで、図示しないＩＤカードの利用者へ電気錠２Ａ４〜３Ｂ４の解錠可否を知らしめるもので、これらの点灯制御は、コントローラ４に設けられる後述するＬＥＤ制御装置５からの出力信号で指令される。
【００１７】
また、共有部Ｃの天井における南北の長手部と東西の長手部のそれぞれの中央部には、熱感知器６Ａ，６Ｂが設けられ、また、共有部Ｃの天井におけるテナントＡと階段室１Ａの間と、階段室１Ｂの南側には、煙感知器７Ａ，７Ｂが設けられている。
【００１８】
また、共有部Ｃの階段室１Ｂの南側壁と対向する壁面にコントローラ４が設けられ、テナントＡとテナントＢの隣接する共有部Ｃの壁面には火災報知機８が設けられている。
【００１９】
ここで、熱感知器６Ａ，６Ｂや煙感知器７Ａ，７Ｂ、コントローラ４は、建物１の各階同一位置に取り付けられ、各階の間取りも同一とする。
【００２０】
次に、コントローラ４は、カードリーダ２Ａ〜３Ｂに接続される上述したＬＥＤ制御装置５と、カードリーダ２Ａ〜３Ｂ、熱感知器６Ａ，６Ｂ、煙感知器７Ａ，７Ｂ、火災報知機８、電気錠２Ａ４〜３Ｂ４、及びＬＥＤ制御装置５へ接続される機器制御装置９と、この機器制御装置９に接続され、建物１を利用する複数の人物に配布される図示しないＩＤカードの認証コードに対し、テナントＡ，Ｂやカードリーダ２Ａ〜３Ｂ毎に電気錠２Ａ４〜３Ｂ４の解錠可能な認証コードを、予め設定して記憶する認証データ記憶部１０と、カードリーダ２Ａ〜３Ｂ、熱感知器６Ａ，６Ｂ、煙感知器７Ａ，７Ｂ、火災報知機８から送信される信号に基づいて、機器制御装置９がコントローラ４内の各機器に対する制御や指令信号出力等のプログラムを記憶する機器制御データ記憶部１１と、機器制御装置９に接続され、火災等の災害が発生したとき、機器制御装置９の指令により予め記憶される避難経路データ記憶部１２から最適な避難経路を選択し、この避難経路を機器制御装置９へ配信する避難経路制御装置１３と、複数の音声データを記憶し、これらの音声データを選択してインターホン１５Ａ〜１５Ｃ，１６Ａ，１６Ｂの図示しないスピーカのいずれかに出力するインターホン音声データテーブル１４と、で構成されている。
【００２１】
また、インターホン音声データテーブル１４には、例えば、「こちらから避難してください。」、及び「こちらから避難することはできません。」という音声データが記憶されている。
【００２２】
また、建物１の管理人室２０には、インターホン１５Ａ〜１５Ｃ，１６Ａ，１６Ｂからの呼び出しによって通話を可能とするインターホン親機２１と、建物１に設けられるコントローラ４を含む設備機器の異常を検出すると、図示しない監視センタヘ図示しない通信回線を介して当該異常を通報する端末装置２２と、が配設されている。
【００２３】
また、端末装置２２は、機器制御装置９に対して熱感知器６Ａ，６Ｂ、煙感知器７Ａ，７Ｂのいずれかが動作したときと同様なる動作模擬信号を、設定出力することが可能な構成となっている。
【００２４】
また、機器制御装置９には、端末装置２２から熱感知器６Ａ，６Ｂ、煙感知器７Ａ，７Ｂいずれかの動作模擬信号を受信した後、避難経路制御装置１３より避難経路が選択され、後述する解錠阻止指令に設定した電気錠２Ａ４〜３Ｂ４に対するカードリーダ２Ａ〜３Ｂが、図示しないＩＤコードを検知した回数をカードリーダ２Ａ〜３Ｂ毎に計数する計数装置９Ａを有している。
【００２５】
また、避難経路データ記憶部１２は、各階の熱感知器６Ａ，６Ｂ及び煙感知器７Ａ，７Ｂの中で、一番先に動作した報知器に対し、避難する階段室１Ａ、１Ｂを階床別に設定する避難階段室設定テーブル１２Ａと、火災発生時に、各階のテナントＡ，Ｂに設けられるカードリーダ２Ａ〜３Ｂ毎に、電気錠２Ａ４〜３Ｂ４へ解錠指令や解錠阻止指令を設定する解錠設定テーブル１２Ｂと、を少なくとも有している。ここで、解錠設定テーブル１２Ｂは、例えば、２階のテナントＡ，Ｂに設けたカードリーダ２Ａ〜３Ｂに対する解錠設定テーブル１２Ｂを示すものである。
【００２６】
また、避難階段室設定手段は機器制御装置９と避難経路データ記憶部１２と避難階段室設定テーブル１２Ａで構成され、解錠設定手段は機器制御装置９と避難経路データ記憶部１２と避難階段室設定テーブル１２Ａと解錠設定テーブル１２Ｂで構成され、ＬＥＤ表示選択手段は機器制御装置９と避難経路データ記憶部１２と避難階段室設定テーブル１２ＡとＬＥＤ制御装置５で構成される。
【００２７】
また、図３に示す避難階段室設定テーブル１２Ａは、横列の各階における感知器１２Ａａ〜１２Ａ１と縦列の各階における避難口１２Ａ１〜１２Ａ７で構成され、各階床に設けた熱感知器６Ａ，６Ｂ及び煙感知器７Ａ，７Ｂで、一番先に動作した熱感知器６Ａ，６Ｂ及び煙感知器７Ａ，７Ｂに対し、各階床毎に、避難する階段室１Ａ、１Ｂを設定するテーブルであり、例えば、３階の熱感知器６Ａが動作すると、３階は階段室１Ｂにて建物１の外へ避難する旨を設定し、２階は階段室１Ａにての避難を設定し、１階は階段室１Ｂか図示しない玄関を設定する。ここで、避難階段室設定テーブル１２Ａで設定するように、火元の階床と、動作した熱感知器６Ａ，６Ｂ及び煙感知器７Ａ，７Ｂに基づき、火元の階床の避難する階段室１Ａ，１Ｂを設定し（動作した熱感知器６Ａ，６Ｂ及び煙感知器７Ａ，７Ｂより遠い位置にある階段室１Ａ，１Ｂとする）、火元階床の直下階床は火元階床の避難する階段室１Ａ，１Ｂと異なる階段室を設定している。
【００２８】
また、図４に示す解錠設定テーブル１  ２  Ｂは、横列の避難階段１２Ｂａ，１２Ｂｂに対し、縦列の各階の避難ロ１２Ｂ１〜１２Ｂ５と、この避難口１２Ｂ１〜１２Ｂ５に対応するカードリーダ２Ａ〜３Ｂの近傍に設けたインターホン１５Ａ〜１６Ｂを示すインターホン１２Ｂｃとで構成される。
【００２９】
ここで、例えば、２階床において設定された避難する階段室１Ａ、１Ｂ別に、カードリーダ２Ａ〜３Ｂに対する電気錠２Ａ４〜３Ｂ４へ解錠指令や解錠阻止指令を設定するとともに、インターホン１５Ａ〜１６Ｂの図示しないスピーカから発する音声データを選定するテーブルであり、避難階段室設定テーブル１２Ａの設定にて、２階床の避難する階段室が階段室Ｂである場合、テナントＡのカードリーダ２Ａとカードリーダ２Ｂが対応する電気錠は解錠阻止に設定され、テナントＡのカードリーダ２Ｃが対応する電気錠は解錠指令に設定され、テナントＢのカードリーダ３Ａとカードリーダ３Ｂが対応する電気錠は解錠指令に設定され、テナントＡのカードリーダ２Ａとカードリーダ２Ｂが図示しないＩＤカードを検知すると、電気錠が解錠できない旨の「こちらから避難することはできません。」なる音声を発し、テナントＡのカードリーダ２ＣとテナントＢのカードリーダ３Ａ、３Ｂが図示しないＩＤカードを検知すると、避難できる旨の「こちらから避難してください。」なる音声を発し、階段室１Ｂを使っての避難を指示することとなる。
【００３０】
次に、図５に示すインターホン音声データテーブル１４は、解錠指令プラグ１４ａと、音声データ１４ｂとで構成され、カードリーダ２Ａ〜３Ｂが解錠可能（「○」）の場合、音声データ１４ｂは、例えば「こちらから避難してください。」なる音声を発し、カードリーダ２Ａ〜３Ｂが解錠不能（「×」）の場合、音声データ１４ｂは、例えば「こちらから避難することはできません。」なる音声を発する。
【００３１】
また、他の階床における機器の配置及びその構成に関する説明は、２階と同様であるので省略する。
【００３２】
次に、このように構成された一実施形態の動作の説明を、図６のフローチャートを用いて説明する。
【００３３】
まず、建物１の２階の南側で火災が発生し、２階に設置された煙感知器７Ａが最初に動作した湯合、煙感知器７Ａの動作信号がコントローラ４の機器制御装置９へ送信されるが、ここで、避難訓練として端末装置２２から煙感知器７Ａの模擬信号を機器制御装置９へ出力すると（ステップＳ１）、機器制御装置９はカードリーダ２Ａ〜３Ｂに指令していた通常動作（ステップＳ２）を切り離す。ここで、ステップＳ２の通常動作の説明は省略する。
【００３４】
次に、機器制御装置９は、２階に設置されている煙感知器７Ａが最初に動作した旨の信号を避難経路制御装置１３へ送信すると（ステップＳ３）、避難経路制御装置１３は、避難経路データ記憶部１２の避難階段室設定テーブル１２Ａの動作感知器１２Ａａ〜１２Ａ１と避難口１２Ａｌ〜１２Ａ７を参照することで、２階の煙感知器７Ａ動作に対応する各階のテナントＡ，Ｂ別の避難階段室１Ａ，１Ｂの選択を行い、火元の階床である２階のテナントＡ，Ｂは動作した煙感知器７Ａから遠い位置にある階段室１Ｂでの避難を選択し、３階のテナントＡ，Ｂは階段室１Ａでの避難を選択し、１階のテナントＡ，Ｂは階段室１Ａ及び図示しない玄関からの避難を選択する（ステップＳ４）。
【００３５】
次に、避難経路制御装置１３は、ステップＳ４にて避難に使用する各階毎の階段室１Ａ，１Ｂの選択した情報と、避難経路データ記憶部１２の解錠設定テーブル１２Ｂの避難階段１２Ｂａ，１２Ｂｂとカードリーダ１２Ｂ１〜１２Ｂ５を参照し、例えば２階における電気錠２Ａ４〜３Ｂ４に対する解錠及び施錠を選択するとともに（ステップＳ５）、カードリーダ２Ａ〜３ＢのＬＥＤ２Ａ３〜３Ｂ３の表示に対する点灯指令も選択する（ステップＳ６）。
【００３６】
ここで、避難経路制御装置１３は、ステップＳ５で選択した電気錠２Ａ４〜３Ｂ４における解施錠信号を機器制御装置９へ送信するとともに、ステップＳ６で選択したＬＥＤ２Ａ３〜３Ｂ３における表示指令信号をＬＥＤ制御装置５へ送信する。
【００３７】
次に、機器制御装置９は、避難経路制御装置１３から電気錠２Ａ４〜３Ｂ４における解錠信号及び施錠信号の受信で、例えば、テナントＡに設けられるカードリーダ２Ａが対応する電気錠２Ａ４とカードリーダ２Ｂが対応する図示しない電気錠を解錠不能とし、テナントＡに設けられるカードリーダ２Ｃが対応する図示しない電気錠と、テナントＢのカードリーダ３Ａが対応する図示しない電気錠とカードリーダ３Ｂ対応する電気錠３Ｂ４とを解錠させる（ステップＳ７）。
【００３８】
次に、ＬＥＤ制御装置５は、避難経路制御装置１３からＬＥＤ２Ａ３〜３Ｂ３における点灯指令信号の受信で、例えば、テナントＡに設けられ、カードリーダ２Ａに設けられるＬＥＤ２Ａ３とカードリーダ２Ｂに設けられる図示しないＬＥＤを赤色点滅とし、カードリーダ２Ｃに設けられる図示しないＬＥＤとテナントＢのカードリーダ３Ａに設けられる図示しないＬＥＤとカードリーダ３Ｂに設けられるＬＥＤ３Ｂ３を緑色点滅とする指令を行う（ステップＳ８）。
【００３９】
次に、避難経路制御装置１３は、図４に示す解錠設定テーブル１２Ｂから、カードリーダ１２Ｂ１〜１２Ｂ５の関連するインターホン１２Ｂｃに対して、電気錠の解錠と解錠不能に合わせた音声をインターホン音声データテーブル１４からインターホン音声出力指令を選択（ステップＳ９）し、インターホン１５Ａ〜１６Ｂに対して音声出力を指令する（ステップＳ１０）。
【００４０】
また、ステップＳ５において、避難経路制御装置１３は、２階のテナントＡに関しては、カードリーダ２Ａに対応する図示しないドアの電気錠２Ａ４とカードリーダ２Ｂに対応する図示しないドアの図示しない電気錠を解錠不能とし、ステップＳ９において、避難経路制御装置１３は、カードリーダ２Ａとカードリーダ２Ｂが図示しないＩＤカードの認証コードを検知すると、インターホン１５Ａとインターホン１５Ｂの図示しないスピーカから例えば「こちらから避難することはできません。」なる音声を発する選択と、カードリーダ２Ｃに対応する図示しないドアの図示しない電気錠を解錠とするとともに、カードリーダ２Ｃが図示しないＩＤカードの認証コードを検知すると、インターホン１５Ｃの図示しないスピーカから例えば「こちらから避難してください。」なる音声を発する選択を行う。
【００４１】
また、ステップＳ６において、ＬＤＥ制御装置５は、カードリーダ２Ａ〜３ＢのＬＥＤ２Ａ３〜３Ｂ３に対して電気錠２Ａ４〜３Ｃ４の解錠と解錠不能に見合った表示指令信号を選択するもので、電気錠が解錠指令されたカードリーダ２Ａ〜３ＢのＬＥＤ２Ａ３〜３Ｂ３を緑色点滅させ、電気錠が解錠不能に指令されたＬＥＤ２Ａ３〜３Ｂ３を赤色点滅させる選択を行うものである。
【００４２】
また、機器制御装置９の計数装置９Ａは、解錠不能に設定された電気錠に対する例えばカードリーダ２Ａ、２Ｂが、図示しないＩＤコードを検知した回数を、端末装置２２から避難訓練終了なる信号を受信するまで計数し、端末装置２２及び端末装置２２に着脱自在に接続される図示しないパーソナルコンピュータの指令により、計数した通知を出力する。
【００４３】
本実施形態によれば、ＬＥＤ２Ａ３の緑色点滅で電気錠２Ａ４の解錠状況を知らしめ、ＬＥＤ３Ｂ３の赤色点滅で電気錠３Ｂ４の解錠不能を知らしめるので、テナントＡ，Ｂから階段室１Ａ，１Ｂにて避難するとき、ＬＥＤ２Ａ３が緑色点滅している図示しないドアから共有部Ｃに出れば、安全且つ迅速に階段室１Ｂにたどり着くことができるとともに、解錠可能とした電気錠に対するカードリーダ２Ａ〜２Ｃ，３Ａ，３Ｂに図示しないＩＤカードを翳すと、カードリーダ２Ａ〜２Ｃ，３Ａ，３Ｂの近傍に配設されるインターホン１５Ａ〜１５Ｃ，１６Ａ，１６Ｂの図示しないスピーカから、退室可能な旨の例えば「こちらから避難してください。」なる音声が流れ、一方、解錠不可とした電気錠に対するカードリーダ２Ａ〜２Ｃ，３Ａ，３Ｂに図示しないＩＤカードを翳すと、インターホン１５Ａ〜１５Ｃ，１６Ａ，１６Ｂの図示しないスピーカから、退室不可な旨の例えば「こちらから避難することはできません。」なる音声を流すようにしたので、ＬＥＤ２Ａ３〜３Ｂ３の点滅色を見なくとも避難方向の判断が可能となる。
【００４４】
また、端末装置２２から熱感知器６Ａ，６Ｂと煙感知器７Ａ，７Ｂの動作信号を、模擬的に作成可能としたことで、実際の動作に近い避難訓練が可能となるとともに、避難訓練時、解錠不可とした電気錠に対するカードリーダ２Ａ〜２Ｃ，３Ａ，３Ｂに図示しないＩＤカードを翳した回数を計数し、避難訓練後にテナントＡ、Ｂ毎にその回数を知らしめることで、避難経路に対する認識の高揚が図れる。
【符号の説明】
【００４５】
Ａ，Ｂ  テナント
Ｃ  共有部
１  建物
１Ａ，１Ｂ  階段室
２Ａ〜２Ｃ，３Ａ，３Ｂ  カードリーダ
２Ａ１〜３Ｂ１  認証部
２Ａ２〜３Ｂ２  通信部
２Ａ３〜３Ｂ３  ＬＥＤ
２Ａ４〜３Ｂ４  電気錠
４  コントローラ
５  ＬＥＤ制御装置
６Ａ，６Ｂ  熱感知器
７Ａ，７Ｂ  煙感知器
９  機器制御装置
９Ａ  計数装置
１０  認証データ記憶部
１１  機器制御データ記憶部
１２  避難経路データ記憶部
１２Ａ  避難階段室設定テーブル
１２Ｂ  解錠設定テーブル
１３  避難経路制御装置
１４  インターホン音声データ記憶部
１５Ａ〜ｌ５Ｃ，１６Ａ，１６Ｂ  インターホン
２０  管理人室
２１  インターホン親機
２２  端末装置
【図１】
2016030034.tif 000003
【図２】
2016030034.tif 000004
【図３】
2016030034.tif 000005
【図４】
2016030034.tif 000006
【図５】
2016030034.tif 000007
【図６】
2016030034.tif 000008